(57)【要約】【課題】替芯の取り出しに際して、ケース本体内の替芯が芯排出口に集中し、芯同志が詰まり合う問題を解消し、替芯の円滑な排出作用が期待できる替芯ケースを提供すること。【解決手段】開口部１２が形成されたケース本体１１と、ケース本体の前記開口部に装着された蓋取付部材２１と、蓋取付部材に対してスライド可能に取り付けられた蓋体３１とにより構成される。前記蓋体３１には、前記蓋取付部材２１の表面側に位置するスライド操作部３２と、これに一体成型されて前記蓋取付部材の裏面側に突出し、蓋体のスライド方向に伸びる脚部３６とが備えられている。前記脚部３６には、稜線３９，３９ａを中央にして左右に傾斜面４１，４１ａがそれぞれ形成されている。前記蓋体３１が下向きとなる姿勢を採ったときに、ケース本体１１内に収容された替芯が、前記稜線を境にしてケース本体１１内で振り分けられるように作用する。【選択図】図２２
2014201017.tif 000002
【特許請求の範囲】
【請求項１】
一部に開口部が形成され内部に複数本の替芯が収容可能なケース本体と、前記ケース本体の前記開口部に装着され、芯排出口を有する蓋取付部材と、前記蓋取付部材に対してスライド可能に取り付けられた蓋体とが備えられ、前記蓋取付部材に対して前記蓋体をスライドさせることによって、前記芯排出口を開閉可能に構成した替芯ケースであって、
前記蓋体には、前記蓋取付部材の表面側に位置するスライド操作部と、当該スライド操作部と一体成型されて前記蓋取付部材の裏面側に突出し、蓋体のスライド方向に伸びる脚部とが備えられ、
前記脚部には、稜線を中央にして左右に傾斜面がそれぞれ形成されると共に、前記稜線が前記ケース本体の長手方向に直交する方向に形成され、前記蓋体が下向きとなる姿勢を採ったときに、ケース本体内に収容された替芯が、前記稜線を境にしてケース本体内で振り分けられるように構成したことを特徴とする替芯ケース。
【請求項２】
前記蓋体は、前記蓋取付部材に形成されたスリット内を移動する頸部を介して、蓋取付部材の表面側に位置する前記スライド操作部と、前記頸部を介して蓋取付部材の裏面側に突出する前記脚部と、前記頸部を介して前記蓋取付部材の裏面側に接する摺接部とが一体に成型され、前記摺接部によって、前記蓋取付部材からの蓋体の離脱を阻止するように構成したことを特徴とする請求項１に記載された替芯ケース。
【請求項３】
前記蓋取付部材の裏面側には、前記スリットに沿って複数の凹部が形成され、前記蓋体における脚部の先端部には蓋取付部材に形成された前記凹部に向かう凸部が形成され、当該凸部が前記複数の凹部に選択的に係合することで、前記蓋取付部材に対する前記蓋体のスライド位置が選択可能に構成されていることを特徴とする請求項２に記載された替芯ケース。
【請求項４】
前記蓋体のスライド方向に伸びる脚部のばね作用により、前記蓋体のスライド動作にクリック作用が与えられていることを特徴とする請求項３に記載された替芯ケース。
【請求項５】
前記蓋取付部材に形成された前記スリットの切り込み終端部が前記芯排出口を構成し、前記蓋取付部材に対する前記蓋体のスライド位置に応じて、前記芯排出口の開口度合いが調整可能に構成されていることを特徴とする請求項２ないし請求項４のいずれか１項に記載された替芯ケース。
【発明の詳細な説明】
【技術分野】
【０００１】
この発明は、シャープペンシル用の替芯を収容する替芯ケースに関する。
【背景技術】
【０００２】
シャープペンシル用の替芯ケースは、多数の替芯を収容可能な細長い箱型形状のケース本体と、このケース本体の長手方向端部におけるケース開口部が開閉可能となるように、ケース本体に対してスライド可能に取り付けられた蓋体とにより構成された形態が一般的に採用されている。
【０００３】
前記した構成の替芯ケースにおいては、シャープペンシルへの替芯の補給に際して、替芯の取り出し量が調整できるように構成されていることが望ましく、特許文献１には、蓋体のスライド位置に応じてケース本体から取り出す芯の量が調節可能な替芯ケースの構成が開示されている。また、前記蓋体のスライド位置もクリック感をもって位置決めされるように構成されている。
【先行技術文献】
【特許文献】
【０００４】
【特許文献１】特開２０１０−９１４３１号公報
【発明の概要】
【発明が解決しようとする課題】
【０００５】
ところで、この種の替芯ケースにおいては、ケース本体から替芯を取り出す際に、芯排出口が若干下向きとなるように替芯ケースを反転させた姿勢がとられる。
このときケース本体内に収容された多くの替芯が、重力により前記した芯排出口部分に集中し、結局は替芯同志が芯排出口において詰まり、芯の円滑な排出作用が疎外されるという現象が発生する。
【０００６】
前記した特許文献１には、ケース本体の開口部をスライドして開閉する蓋体と一体に、蓋体のスライド方向に直交するように柱状体が蓋体と一体に形成され、前記柱状体によってケース本体内における替芯の収容位置を前記柱状体によって制御するようにした構成が開示されている。
しかし、この柱状体は前記蓋体のスライド操作により、ケース本体内の替芯が折損するのを防ぐために設けられており、ケース本体から替芯を取り出す際の芯の円滑な排出作用を助ける効果は期待できない。
【０００７】
この発明は、替芯ケースからの芯の取り出しに際して、前記したようにケース本体内に収容された多くの替芯が芯排出口に集中し、芯同志が詰まり合うという問題を解消しようとするものであり、替芯の円滑な排出作用を期待することができる替芯ケースを提供することを課題とするものである。
【課題を解決するための手段】
【０００８】
前記した課題を解決するためになされたこの発明に係る替芯ケースは、一部に開口部が形成され内部に複数本の替芯が収容可能なケース本体と、前記ケース本体の前記開口部に装着され、芯排出口を有する蓋取付部材と、前記蓋取付部材に対してスライド可能に取り付けられた蓋体とが備えられ、前記蓋取付部材に対して前記蓋体をスライドさせることによって、前記芯排出口を開閉可能に構成した替芯ケースであって、前記蓋体には、前記蓋取付部材の表面側に位置するスライド操作部と、当該スライド操作部と一体成型されて前記蓋取付部材の裏面側に突出し、蓋体のスライド方向に伸びる脚部とが備えられ、前記脚部には、稜線を中央にして左右に傾斜面がそれぞれ形成されると共に、前記稜線が前記ケース本体の長手方向に直交する方向に形成され、前記蓋体が下向きとなる姿勢を採ったときに、ケース本体内に収容された替芯が、前記稜線を境にしてケース本体内で振り分けられるように構成したことを特徴とする。
【０００９】
この場合、好ましい形態においては、前記蓋体は、前記蓋取付部材に形成されたスリット内を移動する頸部を介して、蓋取付部材の表面側に位置する前記スライド操作部と、前記頸部を介して蓋取付部材の裏面側に突出する前記脚部と、前記頸部を介して前記蓋取付部材の裏面側に接する摺接部とが一体に成型され、前記摺接部によって、前記蓋取付部材からの蓋体の離脱を阻止するように構成される。
【００１０】
加えて、前記蓋取付部材の裏面側には、前記スリットに沿って複数の凹部が形成され、前記蓋体における脚部の先端部には蓋取付部材に形成された前記凹部に向かう凸部が形成され、当該凸部が前記複数の凹部に選択的に係合することで、前記蓋取付部材に対する前記蓋体のスライド位置が選択可能に構成されていることが望ましい。
【００１１】
この場合、より望ましくは、前記蓋体のスライド方向に伸びる脚部のばね作用により、前記蓋体のスライド動作にクリック作用が与えられた構成が採用される。
【００１２】
また好ましくは、前記蓋取付部材に形成された前記スリットの切り込み終端部が前記芯排出口を構成し、前記蓋取付部材に対する前記蓋体のスライド位置に応じて、前記芯排出口の開口度合いが調整可能にされた構成を採用することができる。
【発明の効果】
【００１３】
前記した構成の替芯ケースによると、スライド操作により芯排出口を開閉可能にする蓋体には、ケース本体内に突出する脚部が一体に成形される。この脚部には稜線を中央にして左右に傾斜面がそれぞれ形成されると共に、前記稜線の少なくとも一部はケース本体の長手方向に直交する方向に形成される。これにより、替芯ケースから芯を取り出すために、前記蓋体が下向きとなる姿勢を採った場合、ケース本体内に収容された替芯が、前記稜線を境にしてケース本体内で振り分けられる。
【００１４】
したがって、替芯ケースからの芯の取り出しに際して、ケース本体内に収容された多くの替芯が芯排出口に集中するのを防ぐことができ、芯排出口において芯同志が詰まり合うという問題を解消することができる。これにより、替芯の円滑な排出作用を期待することができる替芯ケースを提供することができる。
【図面の簡単な説明】
【００１５】
【図１】この発明に係る替芯ケースの外観構成を示した斜視図である。
【図２】図１に示す状態の替芯ケースを裏面側から見た背面図である。
【図３】図２におけるａ−ａ線より矢印方向に見た断面図である。
【図４】図２におけるｂ−ｂ線より矢印方向に見た断面図である。
【図５】図２におけるｃ−ｃ線より矢印方向に見た断面図である。
【図６】ケース本体の中央断面図である。
【図７】ケース本体の開口部を手前にした正面図である。
【図８】ケース本体の開口部を斜め上方から見た斜視図である。
【図９】蓋取付部材の斜視図である。
【図１０】蓋取付部材をスリットの切り込み始端部側から見た正面図である。
【図１１】蓋取付部材のスリットを中央にした断面図である。
【図１２】蓋取付部材の底面図である。
【図１３】蓋体の斜視図である。
【図１４】図１３に示す蓋体を上下反転した状態の斜視図である。
【図１５】蓋体の側面図である。
【図１６】蓋体の底面図である。
【図１７】蓋体の中央断面図である。
【図１８】蓋体を閉じた状態における替芯ケースの上面図、正面図および中央断面図である。
【図１９】蓋体を一段開いた状態における替芯ケースの上面図、正面図および中央断面図である。
【図２０】蓋体を二段開いた状態における替芯ケースの上面図、正面図および中央断面図である。
【図２１】蓋取付部材に対する蓋体のスライド状況を順を追って説明する断面図である。
【図２２】替芯をケースから取り出す状態を示した替芯ケースの断面図である。
【発明を実施するための形態】
【００１６】
以下、この発明に係る替芯ケースについて、図に示す実施の形態に基づいて説明する。
図１および図２に替芯ケース１の外観構成を正面側から見た斜視図および裏面側から見た背面図で示しており、図３〜図５に替芯ケース１の要部を断面図で示している。
これらの図に示すとおり、この替芯ケース１は全体に細長く形成されると共に、その長手方向に直交する横断面が楕円形状になされている。そして、多数の替芯が収容可能なケース本体１１は、その下底部が閉塞されて上端部に開口部１２が形成され、この開口部１２に蓋取付部材２１が内接した状態で取り付けられている。
【００１７】
また、図１に示されているように前記蓋取付部材２１に形成されたスリット２４を利用して、蓋体３１が蓋取付部材２１に対してスライド可能に取り付けられている。なお蓋体３１の上面におけるスライド操作部３２には、蓋体のスライド方向に直交するようにして、滑り止め突起３３がストライプ状に成形されている。
【００１８】
前記ケース本体１１は、透明もしくは半透明の樹脂素材により成形されており、図６〜図８に示すように、その開口部１２は若干薄肉状に成形されて、前記蓋取付部材２１が装着される内壁面が形成されている。
また横断面が楕円形状になされたケース本体１１内における長径方向の一方には、前記蓋取付部材２１に形成された後述するスリットの切り込み始端部が相対的に挿入される柱状体１３が、ケース本体の長手方向に沿って形成されている。
【００１９】
また、ケース本体１１内における前記柱状体１３に対向する長径方向の他方には、ケース本体１１の長手方向に沿って、細長い平面部１４が形成されると共に、ケース本体１１の内底部付近には前記した細長い平面部１４を挟むようにして、両側に傾斜面を備えた一対の対向する壁面部１５が形成されている。なおこの実施の形態においては、対向する壁面部１５の間隔は、２ｍｍに設定されている。
さらに図５に示されているように、前記ケース本体１１の開口部１２に近い周側壁の一部には、前記蓋取付部材２１を保持するための嵌合用の窓孔１６が形成されている。
【００２０】
図９〜図１２は、前記した蓋取付部材２１の単体構成を示したものである。この蓋取付部材２１は、前記したケース本体１１の開口部１２の内壁面に内接した状態で取り付けられる楕円形状の筒体部２２と、この筒体部２２と一体に成形されて、ケース本体１１の開口部１２の端縁に接する楕円形状の鍔部２３が備えられている。
そして、蓋取付部材２１にはケース本体１１に接する周縁部を切り込み始端部としたスリット２４が形成されている。
【００２１】
すなわちこのスリット２４は、楕円形状の前記鍔部２３および筒体部２２における長径方向の端部を切り込み始端部２４ａにすると共に、切り込み終端部２４ｂは長径方向の他端部直近に至る位置に形成されている。
この蓋取付部材２１に形成された前記スリット２４は、後で説明するとおり前記蓋体３１をスライド可能に取り付ける機能を果たすと共に、前記切り込み終端部２４ｂは後で説明するとおり替芯の排出口の機能も果たす。
【００２２】
前記蓋取付部材２１の裏面側、すなわち前記鍔部２３のケース本体１１側に向く面には、図１１および図１２に示されているように、前記したスリット２４の両側に沿って複数の凹部２５が連続して形成されている。この凹部２５は、蓋取付部材２１に対して後述する蓋体３１をスライド可能に装着した場合に、この蓋体３１のスライド方向の位置決めの機能を果たす。
なおこの実施の形態においては、前記凹部２５は前記スリット２４の両側に沿ってそれぞれ３か所に形成されており、図１１および図１２における符号２５は、中央の凹部を指している。
【００２３】
図３および図１１に示されているように、前記蓋取付部材２１における筒体部２２の内周面、すなわち楕円形状の筒体部２２の長径方向の端部には、段差部２６が形成されている。この段差部２６の高低差の寸法（高さ寸法）は、ケース本体１１内に収容される替芯の直径よりも小さくなされていることが望ましく、この実施の形態においては、前記段差部２６の高低差の寸法は、０．３ｍｍに設定されている。
前記段差部２６は、替芯ケース１から替芯を排出する場合に、ケース本体内に収容された少なくとも１本の替芯の端部を係止する作用を果たすものであり、この作用の詳細は後述する。
【００２４】
そして図１１に示すように、前記段差部２６に係止される替芯の長手方向の延長線上に、前記したスリット２４の切り込み終端部２４ｂが位置しており、前記したとおりこの実施の形態においては、前記蓋体３１をスライド動作させたときに、前記スリット２４の切り込み終端部２４ｂが、芯排出口（切り込み終端部２４ｂと同一符号で示す。）を兼ねるように構成されている。
【００２５】
また、図１０および図１２に示されているように、蓋取付部材２１における筒体部２２の外側面には突起２２ａが形成されている。この突起２２ａにはテーパー状の斜面が形成されており、前記したケース本体１１の開口部１２に、この蓋取付部材２１の前記筒体部２２を装着したとき、前記突起２２ａがケース本体１１側に形成された前記窓孔１６に内側から挿入されて嵌合される。これにより、ケース本体１１に対して蓋取付部材２１が取り付けられる。
【００２６】
図１３〜図１７は、いずれも前記した蓋体３１の単体構成を示したものである。
この蓋体３１は、前記したとおり楕円形状に成形されたスライド操作部３２を備え、このスライド操作部３２の裏面に対して直角に起立するように、薄板状に成形された頸部３４が形成されている。そして頸部３４に対してその両外側に張り出すように前記蓋取付部材２１の裏面側に接する摺接部３５が一体に成形されている。
すなわち、前記頸部３４は前記した蓋取付部材２４に形成されたスリット２４内に挿入されることで、蓋体３１は蓋取付部材２４にスライド可能に取り付けられ、前記頸部３４の両外側に突出する摺接部３５が蓋取付部材２４の裏面側に接することで、蓋体３１は前記蓋取付部材２４からの離脱が阻止されるように作用する。
【００２７】
前記蓋体３１には、前記した蓋取付部材２１にスライド可能に取り付けられた状態において、蓋取付部材２１の裏面側に突出し、蓋体３１のスライド方向に伸びる脚部３６が、前記頸部３４に対して一体に成型されている。
さらに前記脚部３６の先端部側は、前記蓋体３１の裏面側に向かう肉厚部３６ａになされ、この肉厚部３６ａの先端部に楔状の凸部３８が形成されている。
【００２８】
一方、前記脚部３６にはその肉厚部３６ａも含めて、スライド方向に沿って稜線３９，３９ａが形成されており、この稜線３９，３９ａを中央にして、脚部３６，３６ａには左右に傾斜面４１，４１ａがそれぞれ形成されている。
なお、この実施の形態においては、前記稜線を中央にした左右の傾斜面が交差する角度は１４０度に設定されている。また、前記稜線のうち脚部３６の肉厚部３６ａに形成された稜線３９ａは、替芯ケース１として組み上げたときに、前記ケース本体１１の長手方向にほぼ直交する方向に形成されている。
【００２９】
以上説明したケース本体１１、蓋取付部材２１、蓋体３１からなる替芯ケース１は、これを組み上げるには、先ず蓋取付部材２１に形成された前記スリット２４の切り込み始端部２４ａに、前記蓋体３１における薄板状の頸部３４を挿入する。そして、互いに楕円形状に成形された蓋取付部材２１の前記鍔部２３と、蓋体３１の前記スライド操作部３２が上下に重なるように設定した状態で、蓋取付部材２１の前記筒体部２２を、ケース本体１１における開口部１２に軸方向に挿入する。
【００３０】
この操作により、蓋取付部材２１の筒体部２２に形成された嵌合用突起２２ａが、ケース本体１１の開口部１２の近傍に形成された嵌合用窓孔１６に内側から嵌合する。これにより、ケース本体１１に対して蓋取付部材２１が取り付けられる。
この時、図４に示すように、蓋取付部材２１に形成されたスリット２４の切り込み始端部２４ａに対して、ケース本体１１内に形成された前記柱状体１３の端部が相対的に挿入される。これにより、蓋取付部材２１に形成された前記スリット２４は、ケース本体１１側の柱状体１３により所定の幅間隔が確保され、前記スリット２４を内側にした変形は阻止される。
【００３１】
したがって、ケース本体１１に蓋取付部材２１が装着された後は、前記したケース本体１１側の嵌合用窓孔１６と、蓋取付部材２１側の嵌合用突起２２ａの作用により、両者は強固に結合され、また両者間においてガタツキが発生するなどの問題も解消される。
そして、蓋取付部材２１にスライド可能に取り付けられた蓋体３１は、頸部３４に一体成形された摺接部３５の作用により、蓋取付部材２１からの離脱は阻止される。
しかも、蓋取付部材２１に形成されたスリット２４は、前記した柱状体１３により、所定の幅間隔が確保されるので、蓋体３１の円滑なスライド操作を保証することができる。
【００３２】
図１８〜図２０は替芯ケース１における蓋体３１のスライド状況を示したものであり、図２１はその要部を順を追って説明するものである。
図１８は蓋体３１が閉じられた状態を示しており、この状態においては図２１（Ａ）に示すように、脚部３６の肉厚部３６ａに形成された楔状の凸部３８が、蓋取付部材２１の裏面に形成されたスライド方向の奥側の凹部２５に係合している。
【００３３】
図１９は蓋体３１をスライドさせて、蓋体３１を一段開いた状態を示しており、この状態においては図２１（Ｂ）に示すように、前記楔状の凸部３８が、蓋取付部材２１に形成されたスライド方向の中央の凹部２５に係合する。
この状態においては、図１９に示すように、スライド操作部３２の移動により蓋取付部材２１に形成されたスリット２４の切り込み終端部２４ｂが露出されると共に、図２１（Ｂ）に示すように、肉厚部３６ａが若干中央部寄りに移動する。これにより、替芯ケース１には小口の芯排出口２４ｂが形成される。
【００３４】
図２０は蓋体３１をさらにスライドさせて、蓋体３１を二段開いた状態を示しており、この状態においては図２１（Ｃ）に示すように、前記楔状の凸部３８が、蓋取付部材２１に形成されたスライド方向の手前の凹部２５に係合する。
この状態においては、図２０に示すように、スライド操作部３２のさらなる移動により蓋取付部材２１に形成されたスリット２４の切り込み終端部２４ｂの露出度合いが大きくなると共に、図２１（Ｃ）に示すように、肉厚部３６ａがより中央部寄りに移動する。これにより、替芯ケース１には大口の芯排出口２４ｂが形成される。
【００３５】
前記した蓋体３１のスライド動作が行われる替芯ケース１においては、蓋体３１と一体成形された楔状の凸部３８を支持する脚部３６には、この凸部３８を蓋取付部材２１側の凹部２５に向かって押し付けるばね作用が付与されており、これにより、前記蓋体３１のスライド動作にクリック作用が与えられ、同時に蓋体３１のスライド方向の位置決めも果たすように作用する。
【００３６】
ところで、この種の替芯ケース１におけるケース本体１１は、前記したとおり樹脂素材により成形されており、周知のとおり静電気の発生度合いが高い。したがって、替芯ケース１から替芯を取り出そうとしたときに、静電気の影響を受けて、その操作が阻害されるという問題が発生し得る。
図２２は、前記した静電気による操作上の問題点を解消し得るこの発明に係る替芯ケース１について説明するものであり、これは図１９に示したように、蓋体３１を一段開いた状態で示している。
【００３７】
替芯ケース１から替芯を取り出す場合には、一般的に図２２に示したように、芯排出口２４ｂが下向きとなる姿勢がとられる。
この場合、前記芯排出口２４ｂの直近には、すでに説明したとおり段差部２６が形成されており、この段差部２６の高さ寸法は、前記したとおり０．３ｍｍに設定されている。またすでに説明したとおり、ケース本体１１内の内底部には、細長い平面部１４を挟むようにして、両側に傾斜面を備えた一対の対向する壁面部１５が形成されており、この壁面部１５の間隔は、２ｍｍに設定されている。
【００３８】
前記替芯ケース１に収容される替芯は、現状の規格においては、直径が０．５ｍｍ，０．７ｍｍ，０．９ｍｍのいずれかであり、したがって替芯ケース１が図２２に示した姿勢をとった時には、前記した段差部２６に係止されて、２本または３本の替芯Ｌ１が、細長い平面部１４に沿って平行して並ぶことになる。
この状態で、芯排出口２４ｂを下向きに傾けると、段差部２６によって係止された替芯Ｌ１の上を滑って、他の替芯Ｌ２が芯排出口２４ｂから排出されることになる。
【００３９】
この場合、前記替芯Ｌ１およびＬ２は同一素材であるために、静電気により互いに吸着する作用は発生せず、したがって前記替芯Ｌ２は静電気の影響を受けることなく、円滑に芯排出口２４ｂから排出される。
なお、前記した段差部２６の高さ寸法は、０．３ｍｍに設定されているので、替芯ケース１に収容された替芯の最後の１本も、段差部２６の影響をそれ程受けることなく芯排出口２４ｂから取り出すことができる。
【００４０】
さらに前記した替芯ケース１においては、すでに説明したとおり蓋体３１に形成された脚部３６には、その肉厚部３６ａも含めて、スライド方向に沿って稜線３９，３９ａが形成されており、この稜線３９，３９ａを中央にして、左右に傾斜面４１，４１ａがそれぞれ形成されている。加えて、前記脚部３６の肉厚部３６ａに形成された稜線３９ａは、前記ケース本体１１の長手方向にほぼ直交する方向に形成されている。
したがって、前記蓋体３１が下向きとなる姿勢を採ったときに、ケース本体内１１に収容された替芯は、前記稜線３９，３９ａを境にしてケース本体内１１で振り分けられるように作用する。
【００４１】
これにより、替芯を取り出そうとした時、ケース本体１１内に収容された大多数の替芯が、芯排出口２４ｂ付近に集中し、替芯が詰まり状態になるのを効果的に避けることができる。特にこの実施の形態においては、図２２に示されるように脚部３６の稜線３９は、芯排出口２４ｂに向かって若干下向きに形成されている。
これに対して肉厚部３６ａに形成された稜線３９ａはケース本体１１の長手方向にほぼ直交するように形成されており、この稜線３９ａの形態により、替芯が芯排出口２４ｂ付近に集中するのを効果的に阻止することができ、より円滑な替芯の取り出し操作を実現することができる。
【００４２】
以上説明したこの発明に係る替芯ケースは、前記した課題を解決するための手段の欄に記載の構成を備えた点に特徴を有し、これにより前記した発明の効果の欄に記載したとおりの独自の作用効果を得ることができる。
【符号の説明】
【００４３】
１      替芯ケース
１１    ケース本体
１２    開口部
１３    柱状体
１４    平面部
１５    壁面部
１６    嵌合用窓孔
２１    蓋取付部材
２２    筒体部
２２ａ  嵌合用突起
２３    鍔部
２４    スリット
２４ａ  切り込み始端部
２４ｂ  切り込み終端部（芯排出口）
２５    凹部
２６    段差部
３１    蓋体
３２    スライド操作部
３３    滑り止め突起
３４    頸部
３５    摺接部
３６    脚部
３６ａ  肉厚部
３８    凸部
３９，３９ａ  稜線
４１，４１ａ  傾斜面
Ｌ１，Ｌ２  替芯
【図１】
2014201017.tif 000003
【図２】
2014201017.tif 000004
【図３】
2014201017.tif 000005
【図４】
2014201017.tif 000006
【図５】
2014201017.tif 000007
【図６】
2014201017.tif 000008
【図７】
2014201017.tif 000009
【図８】
2014201017.tif 000010
【図９】
2014201017.tif 000011
【図１０】
2014201017.tif 000012
【図１１】
2014201017.tif 000013
【図１２】
2014201017.tif 000014
【図１３】
2014201017.tif 000015
【図１４】
2014201017.tif 000016
【図１５】
2014201017.tif 000017
【図１６】
2014201017.tif 000018
【図１７】
2014201017.tif 000019
【図１８】
2014201017.tif 000020
【図１９】
2014201017.tif 000021
【図２０】
2014201017.tif 000022
【図２１】
2014201017.tif 000023
【図２２】
2014201017.tif 000024